(57)【要約】【課題】システムの状態の表示が止められて分からなくなることがないとともに、夜間等の暗い時の煩わしさがなくなることを可能にしたセキュリティ装置を提供すること。【解決手段】本例のセキュリティ装置は、建物ドアの施解錠を制御するドア錠制御システム５の状態を表示によって報知しつつ、建物１のセキュリティ性を確保するものである。表示制御部１９は、スマート認証部１６によって電子キー４が検知されたことを契機に、表示部１８によるドア錠制御システム５の状態の表示を開始する。例えば、電子キー４を所持した正規ユーザの不在中にドア錠制御システム５に異常が生じた際、当該異常が生じた時点から時間制限でドア錠制御システム５の異常を知らせる表示を行うのではなく、本例では、正規ユーザが自宅に戻った時に当該表示を行う。【選択図】図１
2016194200.tif 000002
【特許請求の範囲】
【請求項１】
機器の作動を制御する制御システムの状態を表示によって報知するセキュリティ装置において、
前記機器の作動に必要な電子キーが検知されたことを契機に、前記制御システムの状態の表示を開始する制御手段を備えた
ことを特徴とするセキュリティ装置。
【請求項２】
前記制御手段は、前記電子キーが検知されている間、前記制御システムの状態の表示を継続する
請求項１に記載のセキュリティ装置。
【請求項３】
前記制御手段は、前記電子キーの検知状態が一定時間続いたとき、前記制御システムの状態の表示を打ち切る
請求項１又は２に記載のセキュリティ装置。
【発明の詳細な説明】
【技術分野】
【０００１】
本発明は、機器の作動を制御する制御システムの状態を表示によって報知するセキュリティ装置に関する。
【背景技術】
【０００２】
特許文献１には、建物ドアの施解錠を制御する制御システムが開示されている。この種の制御システムにおいて、ドアやハンドルにランプ表示部が取り付けられるとき、ドアやコントローラの状態を表示できる他、盗難防止装置の作動履歴等の警告を表示できることになる。
【先行技術文献】
【特許文献】
【０００３】
【特許文献１】特許第５３２０４７６号公報
【発明の概要】
【発明が解決しようとする課題】
【０００４】
ドアやサムターンの操作時の応答等のように一過性の表示を行う場合には、時間制限で表示を行えば良いが、システムの状態や警告の表示を時間制限で止めてしまうと分からなくなる。かといって、常時表示するのでは夜間等の暗い時に煩わしい。
【０００５】
本発明は、このような問題点に着目してなされたものであって、その目的は、システムの状態の表示が止められて分からなくなることがないとともに、夜間等の暗い時の煩わしさがなくなることを可能にしたセキュリティ装置を提供することにある。
【課題を解決するための手段】
【０００６】
上記課題を解決するセキュリティ装置は、機器の作動を制御する制御システムの状態を表示によって報知するセキュリティ装置において、前記機器の作動に必要な電子キーが検知されたことを契機に、前記制御システムの状態の表示を開始する制御手段を備えたことをその要旨としている。
【０００７】
この構成によれば、電子キーを所持した正規ユーザが機器の近傍に訪れて電子キーが検知されると、制御システムの状態が表示部に表示されるため、正規ユーザは、制御システムの状態を知ることができる。また、正規ユーザが機器の近傍に訪れるまでの間は制御システムの状態が表示部に表示されないため、夜間等の暗い時でも煩わしくない。したがって、システムの状態の表示が不在中に止められて分からなくなることがないとともに、夜間等の暗い時の煩わしさがなくなる。
【０００８】
上記セキュリティ装置について、前記制御手段は、前記電子キーが検知されている間、前記制御システムの状態の表示を継続することとしてもよい。
この構成によれば、電子キーを所持しつつ機器の近傍にいる正規ユーザに対し、制御システムの状態を十分に理解させることができる。
【０００９】
上記セキュリティ装置について、前記制御手段は、前記電子キーの検知状態が一定時間続いたとき、前記制御システムの状態の表示を打ち切ることとしてもよい。
この構成によれば、機器の近傍に電子キーを置いたまま正規ユーザが立ち去った場合が想定され、このような場合に必要以上に制御システムの状態が表示し続けられるのを回避できる。
【発明の効果】
【００１０】
本発明によれば、システムの状態の表示が止められて分からなくなることがないとともに、夜間等の暗い時の煩わしさがなくなる。
【図面の簡単な説明】
【００１１】
【図１】ドア錠制御システムの構成図。
【図２】（ａ）はスマート通信の概要図、（ｂ）はスマート操作によるドア解錠の概要図。
【図３】（ａ）はドア解錠操作時に室内側に人がいない場合の概要図、（ｂ）はドア解錠操作時に室内側に人がいる場合の概要図。
【発明を実施するための形態】
【００１２】
以下、セキュリティ装置の一実施の形態について説明する。本例のセキュリティ装置は、建物ドアの施解錠を制御するドア錠制御システムの状態を表示によって報知しつつ、建物のセキュリティ性を確保するものである。
【００１３】
図１に示すように、建物１は、建物１のドア２に設けられたドア錠３を電子キー４によって無線により作動可能なドア錠制御システム５を備える。ドア錠制御システム５は、例えば建物１側からの通信を契機に狭域無線（通信距離：数ｍ）によってＩＤ照合（スマート照合）を実行してドア錠３を制御するキー操作フリーシステムであることが好ましい。ドア錠制御システム５は、例えばドア錠３の施錠及び解錠の両方を制御するものであることが好ましい。ドア錠３は機器に相当する。
【００１４】
なお、以降は、キー操作フリーシステムによるドア錠３の操作を「キーフリー操作（スマート操作）」と記す。また、キー操作フリーシステムの通信を「スマート通信」と記し、その通信で実行されるＩＤ照合を「スマート照合」と記す。
【００１５】
キー操作フリーシステムの通信は、例えば建物１→電子キー４の通信にＬＦ（Low Frequency ）帯の電波が使用され、電子キー４→建物１の通信にＵＨＦ（Ultra High Frequency）帯の電波が使用される。キーフリー操作は、例えば電子キー４を実際に操作しなくても、スマート照合が成立すれば、ドア錠３の作動が許可又は実行される操作となっている。なお、本例の場合は、ドア２に設けられたドア錠操作部６の操作がトリガとなって、ドア錠３の施解錠が切り替えられる。ドア錠操作部６は、例えば押圧スイッチであるとよい。
【００１６】
電子キー４は、電子キー４の動作を制御するキー制御部７と、電子キー４において電波を受信する受信アンテナ８と、電子キー４において電波を送信する送信アンテナ９とを備える。キー制御部７のメモリ１０には、電子キー４の固有ＩＤである電子キーＩＤが書き込み保存されている。受信アンテナ８は、例えばＬＦ電波を受信する。送信アンテナ９は、例えばＵＨＦ電波を送信する。
【００１７】
ドア錠制御システム５は、前述のドア錠３及びドア錠操作部６と、ドア錠制御システム５の作動を制御するコントローラ１１と、ドア２の周囲に電波を送信する送信アンテナ１２と、ドア２の周囲で電波を受信する受信アンテナ１３とを備える。コントローラ１１のメモリ１４には、ドア２に登録された電子キー４のＩＤ（電子キーＩＤ）が書き込み保存されている。送信アンテナ１２は、例えばＬＦ電波を送信する。受信アンテナ１３は、例えばＵＨＦ電波を受信する。送信アンテナ１２及び受信アンテナ１３は、例えばドア２又は建物壁に配設されている。ドア錠３は、例えばアクチュエータを駆動源にデッドボルトを出し入れする電気錠からなる。コントローラ１１は、例えば基板上にＩＣ及びチップ類の各種素子が実装された制御盤である。ドア錠操作部６は、例えば操作される度にドア錠３の施解錠が交互に切り替わる施解錠スイッチであるとよい。
【００１８】
ドア錠制御システム５は、ドア２の付近において人の有無を検知する人検知センサ１５を備える。人検知センサ１５は、例えば温度センサからなり、例えば人体と周囲との温度差を検出することによって人を検知する。人検知センサ１５は、例えばドア２の内壁等に設置されることにより、室内に配置されている。人検知センサ１５は、コントローラ１１に接続されることにより、人有無の検知信号Ｓｈをコントローラ１１に出力する。具体的にいうと、人検知センサ１５は、人を検知するとき、検知信号Ｓｈ（Ｈレベル信号）をコントローラ１１に出力し、人を検知しないとき、検知信号Ｓｈをコントローラ１１に出力しない（Ｌレベル信号を出力する）。
【００１９】
ドア錠制御システム５は、ドア２側からの通信を契機に電子キー４と無線によるＩＤ照合（スマート照合）を行うスマート認証部１６と、ドア錠３の作動を制御する錠制御部１７とを備える。スマート認証部１６及び錠制御部１７は、ドア２のコントローラ１１に設けられる。スマート認証部１６は、定期的（ある一定の繰り返し周期）、又はトリガ入力（一例はドア錠操作部６の操作）を条件に、スマート通信を実行し、スマート照合が成立するか否かを確認する。錠制御部１７は、スマート認証部１６の認証結果に基づき、ドア錠３の施解錠を切り替える。
【００２０】
図２（ａ），（ｂ）に示すように、送信アンテナ１２によるスマート通信のエリア（スマート通信エリアＥ１）は、ドア２を中心としたドア周囲一帯に形成される。このように、本例のスマート通信エリアＥ１は、建物１の室内外に亘って一帯に形成される。なお、受信アンテナ１３は、遠くまで届くＵＨＦ電波を受信するものであるので、ドア２付近であれば、どこに配置されてもよい。また、図２（ｂ）に示すように、ドア錠操作部６が操作されてドア錠３の施解錠が切り替わったときには、ドア２に設けられた表示部１８を点灯又は点滅させる。表示部１８は、例えばＬＥＤからなり、コントローラ１１の表示制御部１９（図１参照）による制御を受ける。表示制御部１９は制御手段に相当する。
【００２１】
電子キー４が送信アンテナ１２のスマート通信エリアＥ１に進入すると、スマート認証部１６は、スマート通信を実行する。具体的には、送信アンテナ１２から送信されたウェイク信号を電子キー４が受信すると、電子キー４が起動してアックをＵＨＦ電波により返信し、続く通信過程において、ドアＩＤ照合、チャレンジレスポンス認証、電子キーＩＤ照合の各種照合を実行する。ドアＩＤ照合は、各ドア２の固有ＩＤであるドアＩＤ（図示略）を電子キー４に送信し、電子キー４にドアＩＤを確認させる照合である。チャレンジレスポンス認証は、送信の度にコードが毎回変わるチャレンジコードをドア２から電子キー４に送信して電子キー４の暗号鍵に通し、このレスポンスコードをドア２に返信させ、ドア２において同様に演算したレスポンスコードにより、電子キー４のレスポンスコードの正当性を確認する照合である。電子キーＩＤ照合は、電子キー４に登録された電子キーＩＤの正当性をドア２で確認する照合である。スマート認証部１６は、これら照合が全て成立することを確認すると、スマート照合を成立とする。
【００２２】
図３（ａ），（ｂ）に示すように、錠制御部１７は、スマート認証部１６によるスマート照合の照合結果と、人検知センサ１５の検知結果とに基づき、ドア錠３の作動を制御する。例えば、図３（ａ）に示すように、ユーザが室外からドア錠操作部６を操作したとき、室内の人検知センサ１５が人を検知していなければ、ドア錠制御システム５（キー操作フリーシステム）が有効にされる。よって、人検知エリアＥ２に人がいなければ、室外からドア錠操作部６を操作することでドア錠３の施解錠切り替えが可能となる。一方、図３（ｂ）に示すように、ユーザが室外からドア錠操作部６を操作したとき、室内の人検知センサ１５が人を検知していれば、ドア錠制御システム５が無効にされる。よって、人検知エリアＥ２に人がいれば、室外からドア錠操作部６を操作してもドア錠３の施解錠を切り替えることができない。
【００２３】
次に、セキュリティ装置の作用について説明する。ここでは、コントローラ１１の表示制御部１９による表示部１８の制御の一例を示す。
まず、ドア錠３の施錠状態で、電子キー４を所持した正規ユーザがスマート通信エリアＥ１に進入すると、スマート照合が成立し、スマート認証部１６によって電子キー４が検知される。このとき、表示制御部１９は、電子キー４が検知されたことを契機に、表示部１８によるドア錠制御システム５の状態の表示を開始する。例えば、正規ユーザの不在中にドア錠制御システム５の機能に何らかの異常が生じた際、電子キー４が検知されるまでの間は消灯されていた表示部１８が、電子キー４の検知を契機に、赤色で点灯し始める。なお、ドア錠制御システム５に異常が見られない正常時には表示部１８の消灯状態が維持される。或いは、ドア錠制御システム５が正常に機能していることを報知するべく、電子キー４の検知を契機に、表示部１８が緑色で点灯し始めてもよい。
【００２４】
そして、正規ユーザが入室するべく、ドア錠操作部６を操作すると、人検知エリアＥ２に人がいないことを条件に、錠制御部１７によってドア錠３が解錠される。このとき、表示制御部１９は、ドア錠３の解錠時の応答を示す一過性の表示を行う。例えば、表示部１８が緑色で２回点滅する。
【００２５】
そして、正規ユーザがドア２を開けて入室した後、電子キー４を所持してスマート通信エリアＥ１から退出すると、スマート認証部１６によって電子キー４が検知されなくなる。このとき、表示制御部１９は、電子キー４が検知されなくなったことを契機に、表示部１８によるドア錠制御システム５の状態の表示を終了する。例えば、ドア錠制御システム５の異常を報知するべく、電子キー４の検知を契機に赤色で点灯されていた表示部１８が消灯する。
【００２６】
ここで、正規ユーザがドア２を開けて入室した後、スマート通信エリアＥ１に含まれる例えば玄関に電子キー４を置いたまま立ち去る場合を想定する。この場合、スマート認証部１６によって電子キー４が検知され続けることになるが、表示制御部１９は、電子キー４の検知状態が一定時間（一例として３０秒間）続いたとき、表示部１８によるドア錠制御システム５の状態の表示を打ち切る。例えば、ドア錠制御システム５の異常を報知するべく、電子キー４の検知を契機に赤色で点灯されていた表示部１８が消灯する。
【００２７】
ところで、正規ユーザの不在中に電子キー４を伴わずドア錠３が解錠されると、盗難防止装置（図示略）が発動する。このとき、表示制御部１９は、ドア錠３が解錠されたことを契機に、表示部１８による盗難防止装置の発動履歴の表示を開始するとともに、その表示を電子キー４の検知によらず継続する。例えば、表示部１８が赤色で点滅し続ける。
【００２８】
以上説明したように、本実施の形態によれば、以下の効果を奏することができる。
（１）電子キー４を所持した正規ユーザがスマート通信エリアＥ１に進入して電子キー４が検知されると、ドア錠制御システム５の状態が表示部１８に表示されるため、正規ユーザは、ドア錠制御システム５の状態を知ることができる。例えば、不在中にドア錠制御システム５に異常が生じた際、当該異常が生じた時点から時間制限でドア錠制御システム５の異常を知らせる表示を行うのではなく、本例では、正規ユーザが自宅に戻った時に当該表示を行う。これにより、正規ユーザは、自宅に戻った際、ドア錠制御システム５に異常が生じていることを知ることができる。
【００２９】
（２）正規ユーザがスマート通信エリアＥ１に進入するまでの間はドア錠制御システム５の状態が表示部１８に表示されないため、夜間等の暗い時でも煩わしくない。
（３）上記（１）及び（２）より、ドア錠制御システム５の状態の表示が不在中に止められて分からなくなることがないとともに、夜間等の暗い時の煩わしさがなくなる。
【００３０】
（４）電子キー４が検知されている間、ドア錠制御システム５の状態の表示が継続される。このため、電子キー４を所持しつつドア２の近傍にいる正規ユーザに対し、ドア錠制御システム５の状態を十分に理解させることができる。
【００３１】
（５）電子キー４の検知状態が一定時間続いたとき、ドア錠制御システム５の状態の表示が打ち切られる。これは、ドア２の近傍に電子キー４を置いたまま正規ユーザが立ち去った場合が想定され、このような場合に必要以上にドア錠制御システム５の状態が表示し続けられるのを回避できる。
【００３２】
（６）電子キー４を伴わずドア錠３が作動されたことを契機に、盗難防止装置が発動したことの履歴の表示が開始されるとともに、その表示が電子キー４の検知によらず継続される。このため、正規ユーザが不在中の第三者による不正行為を防止できる。
【００３３】
（７）電子キー４を伴ってドア錠３が作動されたとき、当該ドア錠３の作動時の応答を示す一過性の表示が行われる。このため、ドア錠３の作動を試みた正規ユーザに対し、ドア錠３が正常に作動したことを理解させることができる。
【００３４】
尚、上記実施の形態は、次のように変更して具体化することも可能である。
・上記実施の形態に倣い、表示部１８にＬＥＤを用いる場合、点灯時の色或いは点滅周期或いは点滅回数等により、施錠時の応答と解錠時の応答に違いを持たせつつ一過性の表示を行ってもよい。例えば、施錠時の応答では赤色で２回点滅させるとともに、解錠時の応答では上記実施の形態に倣い緑色で２回点滅させてもよい。或いは、施錠時の応答では緑色で１回点滅させるとともに、解錠時の応答では緑色で２回点滅させてもよい。
【００３５】
・表示部１８に７セグＬＥＤを用いる場合、点灯時の数字により、施錠時の応答、解錠時の応答、ドア錠制御システム５の状態、盗難防止装置の発動履歴を表現してもよい。
・表示部１８に液晶パネル等を用いることがスペース的に許容される場合、詳細なメッセージにより、施錠時の応答、解錠時の応答、ドア錠制御システム５の状態、盗難防止装置の発動履歴を表現してもよい。
【００３６】
・単色の表示部１８を用いる場合、一過性の表示を点滅にて行うとともに、ドア錠制御システム５の状態の表示を点灯にて行い、盗難防止装置の発動履歴を継続的な点滅にて行ってもよい。
【００３７】
・複数の表示部１８を同じ態様で制御してもよい。この場合、１つ或いは２つ以上が使えなくなっても、他に使えるものが存在する限り、上記実施の形態と同様の効果が得られる。
【００３８】
・ドア錠操作部６の操作を契機にスマート通信を開始しつつ、電子キー４が検知されたことを契機に、ドア錠制御システム５の状態の表示を開始してもよい。
・盗難防止装置の発動履歴の表示についても、ドア錠制御システム５の状態の表示と同様に、電子キー４の検知を契機に開始してもよい。
【００３９】
・作動制御の対象となる機器は建物１のドア錠３に限定されない。建物の窓に取り付けられたクレセント錠の他、車両のドア錠等の機器の作動を制御する制御システムの状態を表示によって報知するセキュリティ装置に本発明を適用してもよい。
【００４０】
次に、上記実施の形態及び別例から把握できる技術的思想について記載する。
（イ）セキュリティ装置において、前記制御手段は、前記電子キーを伴わず前記機器が作動されたことを契機に、当該機器の作動により盗難防止装置が発動したことの履歴の表示を開始するとともに、その表示を前記電子キーの検知によらず継続すること。
【００４１】
この構成によれば、正規ユーザが不在中の第三者による不正行為を防止できる。
（ロ）セキュリティ装置において、前記制御手段は、前記電子キーを伴って前記機器が作動されたとき、当該機器の作動時の応答を示す一過性の表示を行うこと。
【００４２】
この構成によれば、機器の作動を試みた正規ユーザに対し、機器が正常に作動したことを理解させることができる。
【符号の説明】
【００４３】
１…建物、２…ドア、３…ドア錠（機器）、４…電子キー、５…ドア錠制御システム（制御システム）、６…ドア錠操作部、７…キー制御部、８…受信アンテナ、９…送信アンテナ、１０…メモリ、１１…コントローラ、１２…送信アンテナ、１３…受信アンテナ、１４…メモリ、１５…人検知センサ、１６…スマート認証部、１７…錠制御部、１８…表示部、１９…表示制御部（制御手段）。
【図１】
2016194200.tif 000003
【図２】
2016194200.tif 000004
【図３】
2016194200.tif 000005
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
機器の作動を制御する制御システムの状態を表示によって報知するセキュリティ装置において、
前記機器の作動に必要な電子キーが検知されたことを契機に、前記制御システムの異常の有無の表示を開始する制御手段を備えた
ことを特徴とするセキュリティ装置。
【請求項２】
前記制御手段は、前記電子キーが検知されている間、一定時間を上限に前記制御システムの異常の有無の表示を継続する
請求項１に記載のセキュリティ装置。
【請求項３】
前記制御手段は、前記電子キーの検知状態が前記一定時間続いたとき、前記制御システムの異常の有無の表示を打ち切る
請求項２に記載のセキュリティ装置。
【手続補正２】
【補正対象書類名】明細書
【補正対象項目名】０００６
【補正方法】変更
【補正の内容】
【０００６】
上記課題を解決するセキュリティ装置は、機器の作動を制御する制御システムの状態を表示によって報知するセキュリティ装置において、前記機器の作動に必要な電子キーが検知されたことを契機に、前記制御システムの異常の有無の表示を開始する制御手段を備えたことをその要旨としている。
【手続補正３】
【補正対象書類名】明細書
【補正対象項目名】０００７
【補正方法】変更
【補正の内容】
【０００７】
この構成によれば、電子キーを所持した正規ユーザが機器の近傍に訪れて電子キーが検知されると、制御システムの異常の有無が表示部に表示されるため、正規ユーザは、制御システムの状態を知ることができる。また、正規ユーザが機器の近傍に訪れるまでの間は制御システムの異常の有無が表示部に表示されないため、夜間等の暗い時でも煩わしくない。したがって、システムの状態の表示が不在中に止められて分からなくなることがないとともに、夜間等の暗い時の煩わしさがなくなる。
【手続補正４】
【補正対象書類名】明細書
【補正対象項目名】０００８
【補正方法】変更
【補正の内容】
【０００８】
上記セキュリティ装置について、前記制御手段は、前記電子キーが検知されている間、一定時間を上限に前記制御システムの異常の有無の表示を継続することとしてもよい。
この構成によれば、電子キーを所持しつつ機器の近傍にいる正規ユーザに対し、制御システムの異常の有無を十分に理解させることができる。
【手続補正５】
【補正対象書類名】明細書
【補正対象項目名】０００９
【補正方法】変更
【補正の内容】
【０００９】
上記セキュリティ装置について、前記制御手段は、前記電子キーの検知状態が前記一定時間続いたとき、前記制御システムの異常の有無の表示を打ち切ることとしてもよい。
この構成によれば、機器の近傍に電子キーを置いたまま正規ユーザが立ち去った場合が想定され、このような場合に必要以上に制御システムの異常の有無が表示し続けられるのを回避できる。